(57)【要約】【課題】  記録蓄積媒体、記録再生装置に蓄積されているコンテンツのメタ情報を管理、保護する。【解決手段】  コンテンツデータを管理する際、コンテンツデータを作成時や編集時にユーザごとに管理制御することなく、メタ情報を管理するメタデータを備えることによりメタ情報に関する条件や範囲を制御可能とする。【選択図】  図２
2006134006.tif 000002
【特許請求の範囲】
【請求項１】
記録媒体に記録されたコンテンツデータ及び前記コンテンツデータに関連するメタデータを再生する再生手段と、
前記再生手段で再生されたコンテンツデータ及びメタデータを表示手段へ出力する出力手段と、
前記再生手段及び前記出力手段を制御する制御手段と、を有し、
前記メタデータはメタ管理情報及びメタ情報を有しており、前記メタ情報は検索に用いることができ、
前記制御手段は、前記メタ管理情報に基づき、前記メタ情報を前記再生手段で再生しない又は前記出力手段で出力しないよう制御することを特徴とする再生装置。
【請求項２】
前記メタ情報は、前記コンテンツのデータの意味又はその内容について記述している情報であることを特徴とする請求項１に記載の再生装置。
【請求項３】
前記メタ情報は、前記コンテンツに写っている人物に関する情報であることを特徴とする請求項１に記載の再生装置。
【請求項４】
前記制御手段は、前記メタ管理情報及び前記記録再生装置に記憶されているキーに基づき、前記コンテンツとは関係なく、前記メタ情報を前記再生手段で再生しない又は前記出力手段で出力しないよう制御することを特徴とする請求項１に記載の再生装置。
【請求項５】
前記メタ管理情報は、ユーザ毎に閲覧できるメタ情報を管理している情報であることを特徴とする請求項１に記載の再生装置。
【請求項６】
前記制御手段は、前記メタ管理情報に基づき、前記メタ情報に関連したコンテンツデータをも前記再生手段で再生しない又は前記出力手段で出力しないよう制御することを特徴とする請求項１に記載の再生装置。
【請求項７】
コンテンツデータ及び前記コンテンツデータに関連するメタデータを記録媒体に記録する記録手段と、
前記記録媒体に記録されたコンテンツデータ及びメタデータを再生する再生手段と、
前記再生手段で再生されたコンテンツデータ及びメタデータを表示手段へ出力する出力手段と、
前記記録手段、前記再生手段及び前記出力手段を制御する制御手段と、を有し、
前記メタデータはメタ管理情報及びメタ情報を有しており、前記メタ情報は検索に用いることができ、
前記制御手段は、前記メタ管理情報に基づき、前記メタ情報を前記再生手段で再生しない又は前記出力手段で出力しないよう制御することを特徴とする記録再生装置。
【請求項８】
コンテンツデータ及び前記コンテンツデータに関連するメタデータが記録媒体に記録されており、前記メタデータはメタ管理情報及びメタ情報を有しており、前記メタ情報は検索に用いることができるものであり、
前記メタ管理情報に基づき、前記メタ情報を再生しない又は表示手段へ出力しないことを特徴とする再生方法。
【請求項９】
コンテンツデータ及び前記コンテンツデータに関連するメタデータを記録媒体に記録し、
前記メタデータはメタ管理情報及びメタ情報を有しており、前記メタ情報は検索に用いることができるものであり、
前記メタ管理情報に基づき、前記記録媒体より前記メタ情報を再生しない又は表示手段へ出力しないことを特徴とする記録再生方法。
【請求項１０】
再生手段、出力手段及び制御手段を有する再生装置に、
前記再生手段が、記録媒体に記録されたコンテンツデータ及び前記コンテンツデータに関連するメタデータを再生する手順と、
前記出力手段が、前記再生されたコンテンツデータ及びメタデータを表示手段へ出力する手順と、
前記メタデータはメタ管理情報及びメタ情報を有しており、前記メタ情報は検索に用いることができ、
前記制御手段が、前記メタ管理情報に基づき、前記メタ情報を前記再生手段で再生しない又は前記出力手段で出力しないよう制御する手順と、
を実行させることを特徴とするソフトウェア。
【発明の詳細な説明】
【技術分野】
【０００１】
本願発明は、コンテンツデータのメタ情報の管理保護に関するものである。
【背景技術】
【０００２】
本願発明に関する背景技術を記載したものとして、以下の特許文献１がある。具体的には、「コンテンツの権利保護、ユーザーの個人の権利保護等が可能なサービスを提供することを目的」（特許文献１の段落０００５）とし、「放送事業者が意図した単位でコンテンツを作成し、コンテンツ毎にコンテンツ関連情報を添付させる。このコンテンツ毎に添付するメタデータに、コンテンツに関する一般的な情報から、著作権保護情報、蓄積再生に関する権利情報、制御情報等を含むこととする。これによりコンテンツ毎に木目細かな制御が可能となる。また、放送サイドで視聴者へのコンテンツ提示方法、利用方法、暗号化状態でのコンテンツ蓄積、端末に対する限定受信、個人に対する限定受信等を定義可能とし、これらの定義に基づき視聴者の視聴制御、蓄積制御、コピー制御、暗号／復号制御等を行うことで著作権等のコンテンツの権利保護が可能なサービスを提供する」（特許文献１の段落０００６）ことの記載がある。
【０００３】
【特許文献１】特開２００２−２０３０７０号公報
【発明の開示】
【発明が解決しようとする課題】
【０００４】
また、特許文献１には、メタデータである個人情報や契約情報を暗号化して配信することの記載がある（特許文献１の段落００３３、図９など）。しかしながら、暗号化している個人情報や契約情報は、本来、検索に用いるものではない。
【０００５】
本願発明では、本来、検索に用いることができるメタ情報の管理保護を可能とすることを課題とする。
【課題を解決するための手段】
【０００６】
本願発明の課題は、特許請求の範囲に記載の発明で解決される。
【発明の効果】
【０００７】
本願発明により、使い勝手の向上した再生装置、記録再生装置、再生方法、記録再生方法及びソフトウェアを提供することができる。
【発明を実施するための最良の形態】
【０００８】
コンテンツデータの保護機能とは別に、コンテンツデータに格納されているメタ情報に含まれる個人情報、権利情報等を保護・管理するメタ情報を作成し、コンテンツの流通が行われた場合において、コンテンツの編集、コピー、ダウンロード等が行われても、秘匿性、権限性の高いメタ情報の漏洩を防ぐことが可能である。ここで、メタ情報とは、対象となるデータの意味やその内容について記述した付帯情報であり、検索等に利用されるデータである。
【実施例１】
【０００９】
以下、本発明の実施例を説明する。図１は本発明を適応した一実施形態である記録再生装置とその記録再生装置とネットワークで接続されている外部装置の構成図である。
【００１０】
図１において、１００はビデオカメラ、１０１はビデオカメラに接続可能な外部装置、１０２はネットワークを示す。システム制御回路１０３はCPUやメモリを持ち、システム全体を制御する。図示はしないが、一般的にユーザがボタン等を操作する際の入力情報も、システム制御回路１０３が処理する。１０４のカメラ制御回路は、記録時に映像データを取得し、CODEC(COmpression/DECompression)回路１０５へデータを渡す。１０５のCODEC回路は、MPEG(Moving Picture Experts Group)やJPEG(Joint Photographic coding Experts Group)と言った画像圧縮を行う。CODEC回路１０５にて圧縮されたコンテンツデータは、記録制御回路１０６にて、記録部１０７に記録される。記録部１０７はハードディスクや書き換え可能な記録媒体、書き換え可能な記録媒体、光ディスク、メモリ、カード、リムーバブルな媒体等、内蔵、外付け等に限らず、同様の効果を得る。記録時のカメラ制御回路１０４にて取得できる映像データや、再生時に記録部１０７から記録制御回路１０６が読み出したデータをCODEC回路１０５にてデコード(伸張)処理したコンテンツデータを、表示制御回路１０８にて表示装置１０９へ出力する。ネットワーク制御回路１１０は、前記映像データをネットワーク伝送する処理を行う。これにより、外部装置１０１へ映像データを伝送することが可能となる。すなわち、ネットワーク接続される携帯電話や、PDA、PCと言った機器からアクセスすることが可能となる。コンテンツデータを記録部１０７に記録する際、コンテンツデータのヘッダ情報部にメタ情報を格納する。また、そのメタ情報の管理情報を格納する。
【００１１】
ここで、メタ情報には、コンテンツデータを作成した日時や場所、コンテンツデータに含まれる人物の名前や作成者などがある。これらのメタ情報は、検索に用いることができるものである。
【００１２】
図２は、本発明を適応した一実施形態である記録再生装置で利用されるコンテンツデータの構成を示した図である。図２において、（Ａ）はメタ情報がコンテンツヘッダ部分に格納されているコンテンツの形態を示す。２００はコンテンツファイルを示す。２０１はコンテンツのヘッダ情報を示し、当該ファイルがどのような情報のファイルであることを確認、検索するための情報や、その他登録日時や、サイズ等の情報が格納される。２０２はコンテンツデータを示す。２０３はメタデータを示し、コンテンツに関する情報が複数格納される。２０４は、コンテンツのメタ情報を管理するデータが格納される。２０５はコンテンツに関するメタ情報である。詳細は、後述する。
【００１３】
図２において、（Ｂ）はコンテンツへのメタ情報をコンテンツファイルとは別の拡張ファイルとして格納する場合のファイル構造について示す。２１０はコンテンツファイルを示す。２１１はコンテンツのヘッダ情報を示し、当該ファイルがどのようなファイルであるかを確認するための情報や、その他の登録日時や、サイズ等の情報が格納される。２１２はコンテンツデータを示す。２１３はメタ情報を格納している拡張ファイルを示す。２１４はメタ情報を管理するための情報や、ユーザの権限等に関する情報を格納する。２１５は関連するコンテンツに関するメタ情報である。
【００１４】
図２において、（Ｃ）はコンテンツファイルのメタ情報の管理情報をコンテンツファイルとは別の拡張ファイルとして格納する場合のファイル構造について示す。２２０はコンテンツファイルを示す。２２１はコンテンツファイルのヘッダ情報、２２２はコンテンツデータである。２２３はコンテンツヘッダ部分に含まれる、コンテンツに関するメタ情報である。２２４はコンテンツファイルの拡張ファイルを示す。２２５はコンテンツファイル２２０のメタ情報２２３を管理するための情報や、利用ユーザの権限等に関する情報を格納する。
【００１５】
図３はコンテンツに関するメタデータの構成の一例である。図３(Ａ)の３０１はコンテンツに関するメタデータ群である。３０２はメタデータを管理、制御可能な情報である。３０３-３０６はコンテンツに関する各メタ情報である。管理情報３０２には各メタ情報３０３-３０６の管理情報が含まれており、ユーザの権限によってメタ情報の閲覧や検索を制御する。ユーザAはメタ情報３０３-３０６のメタ情報を閲覧、書き換え可能であり、ユーザBはメタ情報３０３-３０６のメタ情報を閲覧可能である。ユーザCはメタ情報３０３、３０４が閲覧可能、３０３が書き換え可能の場合、各ユーザはメタ情報を制限通りにしか取り扱えないように管理ファイルによるメタ情報のフィルタリングを行う。ユーザの権限の管理方法として、ユーザをグループで管理することも可能であり、その場合においても上述と同じ効果を得ることが出来る。
【００１６】
図３(Ｂ)の３１０はコンテンツに関するメタデータ群である。３１１はメタデータを管理、制御可能な情報である。３１２-３１４はメタデータを分類したグループである。３１５-３１８コンテンツに関する各メタ情報である。ユーザによる閲覧、書き換えなどの権限をグループ単位で管理し、メタ情報をグループ分けした場合においても図３(Ａ)の場合と同様の効果を得ることができる。
【００１７】
図６は本発明におけるメタ情報の管理の動作フローの一例である。６００はオリジナルのコンテンツデータのメタ情報を示す。再生装置においてメタ情報を参照する処理Ｓ６０１が開始し、Ｓ６０２のメタ情報にフィルタリングがかかっているかかかっていないかを判定する。フィルタリングがかかっている場合においてはＳ６０３のキー判定を行い、装置あるいは装置の使用ユーザがフィルタリングを解くキーを持っている場合においてＳ６０４の復号化を行いアップデートＳ６０５される。またＳ６０３においてキーを所有していない場合は対象のメタ情報は無いものとして判断される。Ｓ６０２でフィルタリングがかかっていない場合はそのままアップデートＳ６０５される。Ｓ６０６の終了判定を行い、対象メタ情報が残っている場合はＳ６０１のメタ情報探索に戻り、残っていない場合は再生装置におけるメタ情報６０７を開示する。
【００１８】
上記のようにすることで、メタ情報である人物情報などプライベートな情報を保護することができる。また、ユーザによって、メタ情報を用いたサービスの差別化が可能となる。
【実施例２】
【００１９】
以下、本発明における第２の実施例である。実施例１では、検索に用いることができるメタ情報を保護する、又は、閲覧及び使用を制限することでユーザ毎に異なるメタ情報を用いたサービスの差別化を可能とすることについて記載していた。本実施例では、メタ情報だけでなく、そのメタ情報に関連したコンテンツデータの閲覧及び使用をも制限することを特徴とする。
【００２０】
図４はモニタリング装置の構成例である。４００は撮影対象を示す。４０１はモニタリングを行うカメラであり、４０２はカメラ４０１で撮像したコンテンツデータを記録蓄積する記録装置、４０３はカメラ４０１と記録装置４０２を接続する線であり、有線であっても無線であっても良い。４０４は記録装置の記録部であり、記録装置４０２に記録されているコンテンツを蓄積している。４０５、４０６は記録装置４０３に接続可能な外部装置である。４０７-４０９はコンテンツであり、４０８、４０９のオリジナルデータが４０７である。４１０は外部装置４０５、４０６と記録装置４０２を接続するネットワークである。カメラ４０１が撮影対象４００を撮像し、記録装置４０２の記録部４０４に撮像データを記録している場合において、外部装置４０５、４０６がネットワーク４１０を経由して記録装置４０２に接続し、記録部４０４に記録されている記録コンテンツ４０７を視聴する場合に、外部装置４０５、４０６の権限が夫々違う例について以下説明する。外部装置４０５がメタ情報の閲覧可能、書き換えが不可能の権限を持つ場合、記録コンテンツ４０７を再生する際、外部装置４０５は記録データをオリジナルデータのまま見ることが可能である。外部装置４０６がメタ情報を一部閲覧可能、書き換え不可能の権限の場合、外部装置４０６は記録データのフィルタリング加工されたものを再生可能である。すなわち、記録コンテンツのメタ情報を管理している管理メタデータにより再生される４０８、４０９は再生形式が違ったものとなる。また、撮影対象にAという人物とBという人物が存在した場合において、A、Bの各人物に関するメタ情報を記録コンテンツ４０７が備えていたとき、Bという人物について外部装置４０６が再生権限をもたない場合、Bという人物に例えばモザイク加工といったマスク処理が施されて表示されるといった、Bという人物が記録されているというメタ情報を別の情報Nとして差し替えることも管理情報をもつメタデータで制御可能である。管理情報をもつメタデータの構成は図２、３のどの形態においても同様の効果をもつ。
【００２１】
特に、監視カメラシステムに適用した場合には、プライベートな情報が含まれる場合が多いため、上記のようにすることは有効である。例えば、独居老人を監視するカメラシステムにおいて、１等親の家族は全ての映像を閲覧可能とし、２等親の家族には大半の映像を閲覧可能とし、３等親の家族は一部の映像のみを閲覧可能とするなど、段階的な制御が可能である。
【実施例３】
【００２２】
以下、本発明における第３の実施例について説明する。図５は、コンテンツ配信サービスの構成例である。５００はコンテンツ配信サービスを行うサーバである。５０１はサーバ５００のコンテンツ蓄積部であり、配信サービスを行うコンテンツデータが蓄積されている。５０２は配信サービスを行うネットワークである。５０３、５０４は配信サービスをうける外部装置である。５０５は配信サービスで利用されるオリジナルのコンテンツであり、５０６、５０７は、コンテンツ５０５を、外部装置５０３、５０４で再生する場合のコンテンツデータである。５０８はコンテンツ５０５のコンテンツメタ情報であり、５０９はコンテンツデータである。
【００２３】
５１０はコンテンツメタ情報５０８のメタ管理情報であり、５１１は各メタ情報である。５１２は外部装置５０３で再生可能な再生コンテンツ５０６で参照可能なメタ情報であり、５１３は外部装置５０４で再生可能な再生コンテンツ５０７で参照可能なメタ情報である。外部装置５０３において、メタ情報を参照できる権限がメタ情報５１１にあるメタ情報ＢとＣであり、その管理をメタ管理情報５１０において行う。配信の際にコンテンツ５０５を送信した場合においても、装置５０３においての権限で再生コンテンツ５０６のメタ情報はＢ、Ｃしか参照できない。装置５０３で受信後、外部装置５０３が外部装置５０４に再生コンテンツ５０６を配信するときにおいても、管理情報５１０がコンテンツに含まれているため、外部装置５０４におけるメタ情報の参照権限がメタ情報Ｂ、Ｄ、Ｅ、Ｆであるため、当該権限のメタ情報を参照することが可能である。これは、サーバ５００経由で外部装置５０４がコンテンツ５０５を取得した場合と同じ再生コンテンツ５０７が得られることを示す。
【００２４】
また、外部装置に配信する際、メタ管理情報において、新たに管理情報を生成し直すことも可能であり、その場合においては別のルールを持った管理情報が作成される。その場合においては、外部装置５０３で受信したコンテンツ５０６のための管理になるため、前述の構成のように受信後に外部装置５０４に配信した場合、再生コンテンツ５０６の新たなメタ情報参照権限でのメタ情報を参照することが可能である。管理情報をもつメタデータの構成は図２、３のどの形態においても同様の効果をもつ。
【実施例４】
【００２５】
以下、本発明の第４の実施例を説明する。図７は本発明を適応した一実施形態である記録再生装置と、表示装置、その記録再生装置とネットワークで接続されている外部装置の構成図である。
【００２６】
図７において、７００はハードディスクレコーダー、７０１はハードディスクレコーダーに接続可能な外部装置、７０２はネットワークを示す。システム制御回路７０３はCPUやメモリを持ち、システム全体を制御する。図示はしないが、一般的にユーザがボタン等を操作する際の入力情報も、システム制御回路７０３が処理する。７０４のチューナーは、受信時に映像データを取得し、CODEC(COmpression/DECompression)回路７０５へデータを渡す。７０５のCODEC回路は、MPEG(Moving Picture Experts Group)やJPEG(Joint Photographic coding Experts Group)と言った画像圧縮等を行う。CODEC回路７０５にて圧縮されたコンテンツデータは、記録制御回路７０６にて、記録部７０７に記録される。
【００２７】
記録部７０７はハードディスクや書き換え可能な記録媒体、書き換え可能な記録媒体、光ディスク、メモリ、カード、リムーバブルな媒体等、内蔵、外付け等に限らず、同様の効果を得る。チューナー７０４にて取得できる映像データや、再生時に記録部７０７から記録制御回路７０６が読み出したデータをCODEC回路７０５にてデコード(伸張)処理したコンテンツデータを、表示制御回路７０８にて表示装置７０９へ出力する。ネットワーク制御回路７１０は、前記映像データをネットワーク伝送する処理を行う。これにより、外部装置７０１へ映像データを伝送することが可能となる。すなわち、ネットワーク接続される携帯電話や、PDA、PCと言った機器からアクセスすることが可能となる。コンテンツデータを記録部７０７に記録する際、コンテンツデータのヘッダ情報部にメタ情報を格納する。また、そのメタ情報の管理情報を格納する。管理情報をもつメタデータの構成は図２、３のどの形態においても同様の効果をもつ。
【実施例５】
【００２８】
以下、本発明の第５の実施例を説明する。記録媒体に記録保存されたコンテンツデータにおいても同様の効果をもち、管理情報をもつメタデータの構成は図２、３のどの形態においても同様の効果をもつ。また、これまでの実施例のような動作を行うよう制御するソフトウェアも実施例の一つであることは言うまでもない。
【００２９】
以上より、コンテンツ作成者や配信者によって、ユーザ毎のメタ情報使用の差別化を図ることができる。また、プライベート情報やコンテンツデータ検索機能もユーザ毎に異ならせることが可能となる。また、同じメタ情報及びコンテンツデータを有しているのを配信流通させる場合には、ユーザ毎だけでなく、同じユーザに対してもコンテンツ作成者や配信者が暗号キーを送ることで変更可能である。よって、高額の料金を支払った人に対しては、より詳細な情報やより使い勝手の良い検索機能を使えるようにでき、１つのビジネス形態を成す。コンテンツデータ及びメタ情報の配信方法として、ネットワークを介して、媒体によっても構わないし、キー配布も同様である。
【００３０】
メタ情報だけでなく、それに関連したコンテンツデータもリンクさせて閲覧を制限させた場合にはユーザ毎に閲覧できるものを変更可能であることは実施例２で述べた通りであり、その他の実施例にも適用可能である。
【００３１】
また、メタ情報とそれに関連したコンテンツデータをリンクさせた場合、閲覧できるできないだけでなく、画質を変える、再生できる期間を変える（生放送で見れる、１週間遅れで見れる、いつでも見れる、見れる時間に制限がある）、見れる回数を変える等、様々なビジネスの形態が可能である。
【００３２】
以上より、記録データの再生・記録において、各端末、ユーザが状況に応じたコンテンツを生成する手段を提供することで、コンテンツの一元管理によるメタ情報に関する条件や範囲を制御可能とし、データ保護を実現でき、ユーザにとって有効な使い勝手を提供することができる。
【００３３】
また、編集やコピー、他ユーザによるダウンロード等の際、作成時等に与えられた条件を有効としたコンテンツ保護が可能である。
【図面の簡単な説明】
【００３４】
【図１】実施例１における構成図１
【図２】実施例１におけるコンテンツデータの構成図１
【図３】実施例１におけるメタデータの構成図１
【図４】実施例２におけるモニタリングシステムの構成図１
【図５】実施例３におけるコンテンツ配信サービスの構成図１
【図６】実施例１におけるメタ情報管理の動作フロー図１
【図７】実施例４における構成図２
【符号の説明】
【００３５】
２００…コンテンツファイル、２０１…コンテンツヘッダ情報、２０２…コンテンツデータ、２０３…メタデータ、２０４…メタ管理情報、２０５…メタ情報、２１０…コンテンツファイル、２１１…コンテンツヘッダ情報、２１２…コンテンツデータ、２１３…拡張ファイル、２１４…メタ管理情報、２１５…メタ情報、２２０…コンテンツファイル、２２１…コンテンツヘッダ情報、２２２…コンテンツデータ、２２３…メタ情報、２２４…拡張ファイル、２２５…メタ管理情報
【図１】
2006134006.tif 000003
【図２】
2006134006.tif 000004
【図３】
2006134006.tif 000005
【図４】
2006134006.tif 000006
【図５】
2006134006.tif 000007
【図６】
2006134006.tif 000008
【図７】
2006134006.tif 000009